(57)【要約】【課題】長寿命で薄型化も容易な複合操作型電気部品を提供すること。【解決手段】一面に開口部２ｃを有する筐体１と、開口部２ｃを貫通する操作軸７に駆動体８をスプライン結合させてなる回転可能かつ傾倒可能な操作体６と、駆動体８に係合可能な回転体９を有して筐体１内の後部で操作体６の回転動作を検出する回転検出手段と、鍔部８ｄによって選択的に押圧駆動可能な複数の個別スイッチＳを有して筐体１内の前部で操作体６の傾倒動作を検出する傾倒検出手段とを備えた複合操作型電気部品であって、鍔部８ｄは回転検出手段と傾倒検出手段との間に配置させてあり、また、駆動体８と回転体９との間の動力伝達機構は、凹部８ｆ内の一部に凸部９ｂを挿入することによって、傾倒操作時に動力が伝達されず回転操作時のみに動力が伝達されるという係合構造にしてある。【選択図】図６
2007317392.tif 000002
【特許請求の範囲】
【請求項１】
一面に開口部を有する筐体と、前記開口部を貫通して外方へ突出する操作軸と前記筐体内に配置される鍔部とを有する回転可能かつ傾倒可能な操作体と、この操作体と係合可能な回転体を有して前記筐体内で該操作体の回転動作を検出する回転検出手段と、前記操作体の傾倒時に前記鍔部によって選択的に押圧駆動される複数のスイッチ素子を有して前記筐体内で該操作体の傾倒動作を検出する傾倒検出手段とを備え、
前記操作体と前記回転体のいずれか一方に設けられた凸部を他方に設けられた凹部に挿入することにより、これら操作体と回転体が回転方向に動力伝達されるように係合されていると共に、前記凸部が前記操作体の傾倒動作を妨げないようにするための逃げスペースを前記凹部内に確保してあり、かつ、前記筐体内の前記開口部が設けられた一面側に複数の前記スイッチ素子を分散配置させ、これらスイッチ素子と前記回転体との間に前記鍔部を配置させたことを特徴とする複合操作型電気部品。
【請求項２】
請求項１の記載において、前記スイッチ素子が反転可能な反転ばねを有する個別スイッチからなることを特徴とする複合操作型電気部品。
【請求項３】
請求項２の記載において、前記鍔部に周方向に沿って延びる円環状の突堤部を設け、この突堤部によって前記各個別スイッチが押圧駆動されるようにしたことを特徴とする複合操作型電気部品。
【請求項４】
請求項３の記載において、前記傾倒検出手段が前記鍔部と前記各個別スイッチとの間でそれぞれ片持ち梁状に延出する複数の弾性腕を有し、前記操作体の傾倒時に前記突堤部に付勢される前記弾性腕の先端部が対応する前記個別スイッチの反転ばねを押圧駆動するようにしたことを特徴とする複合操作型電気部品。
【請求項５】
請求項４の記載において、前記弾性腕が前記筐体の径方向内側へ向かって片持ち梁状に延出していることを特徴とする複合操作型電気部品。
【請求項６】
請求項１〜５のいずれか１項の記載において、前記筐体内に前記操作体の傾倒動作に伴って弾性変形する弾性部材を配設し、この弾性部材の弾性復帰力によって前記操作体を操作前の初期位置へ自動復帰するようにしたことを特徴とする複合操作型電気部品。
【請求項７】
請求項１〜６のいずれか１項の記載において、前記開口部を画成している前記筐体の内壁面に球面状のガイド面を設けると共に、前記操作体の前記鍔部の径方向内側に前記ガイド面と摺接する円椀状部を設け、前記操作体の傾倒時に前記円椀状部が前記ガイド面に対して摺動するようにしたことを特徴とする複合操作型電気部品。
【請求項８】
請求項１〜７のいずれか１項の記載において、前記操作体が、前記鍔部を有する駆動体と、この駆動体にスプライン結合されて軸線方向へ移動可能な前記操作軸とからなり、かつ、前記筐体内に前記操作軸の軸端部と対向するプッシュスイッチを配置し、前記操作軸の押し込み操作によって前記プッシュスイッチが押圧駆動されるようにしたことを特徴とする複合操作型電気部品。
【請求項９】
請求項１〜８のいずれか１項の記載において、前記筐体の一面に筒状部を突設し、この筒状部に包囲された空所を前記開口部となしたことを特徴とする複合操作型電気部品。
【請求項１０】
請求項１〜９のいずれか１項の記載において、前記回転検出手段が、前記筐体の内壁面に配設された導電パターンと、前記回転体に保持されて前記導電パターンに摺接する摺動子とを有することを特徴とする複合操作型電気部品。
【発明の詳細な説明】
【技術分野】
【０００１】
本発明は、操作体によって少なくとも傾倒操作と回転操作とが行える複合操作型電気部品に関する。
【背景技術】
【０００２】
従来より、この種の複合操作型電気部品として、駆動部材がスプライン結合されている操作レバーと、操作レバーが遊挿される中央孔を有する略ドーム状の可動接点板（反転ばね）と、弾性樹脂の成形品でジンバル構造部を有する保持駆動体とを備え、ジンバル構造部に圧入された操作レバーが傾倒方向と回転方向および軸線方向に移動可能に支持されるという構成のものが知られている（例えば、特許文献１参照）。
【０００３】
かかる従来の複合操作型電気部品において、可動接点板は中央孔の周囲が局部的に反転可能な弾性金属板からなり、この可動接点板の複数箇所に駆動部材の下面に設けられた突部が当接している。そして、操作レバーが傾倒操作されると、その傾倒方向に応じて駆動部材の突部が可動接点板の複数箇所を選択的に押圧駆動して局部的に反転させるため、可動接点板の反転部分が対向する固定接点に接触して傾倒方向に応じたスイッチオン信号が出力されるようになっている。このとき、保持駆動体はジンバル構造部が傾くように弾性変形するため、傾倒操作力が除去されるとジンバル構造部の弾性復帰力によって操作レバーは傾倒前の初期位置へ自動復帰する。また、操作レバーが回転操作されると、保持駆動体が一体的に回転して、この保持駆動体に保持された摺動子がロータリエンコーダの接点パターン上を摺動するため、回転量や回転方向に応じたパルス信号が出力されるようになっている。さらにまた、操作レバーが軸線方向へ押し込み操作されると、操作レバーは駆動部材に対しスライド移動して保持駆動体のジンバル構造部が軸線方向へ弾性変形するため、操作レバーの後方に設置されているスイッチ素子が該操作レバーによって押圧駆動されるようになっている。
【特許文献１】特開２００３−２６３９４０号公報（第３−５頁、図１）
【発明の開示】
【発明が解決しようとする課題】
【０００４】
前述した従来の複合操作型電気部品は、傾倒動作を検出する機構として中央孔を有する特殊形状の可動接点板（反転ばね）を用い、この可動接点板の複数箇所が操作レバーの傾倒方向に応じて選択的に押圧駆動されて局部的に反転するように構成されているため、傾倒操作時に明確なクリック感触が得られないだけでなく、繰り返しの傾倒操作によって可動接点板のばね特性が劣化しやすく、それゆえ傾倒操作の信頼性を長期に亘って維持することが困難であるという問題があった。
【０００５】
また、かかる従来の複合操作型電気部品では、回転部材である保持駆動体に設けられジンバル構造部に操作レバーを圧入することにより、保持駆動体に対して操作レバーを傾倒可能および昇降可能かつ一体的に回転可能としているが、こうした連結構造を採用すると電気部品全体の高さ寸法が不所望に大きくなってしまうという問題があった。
【０００６】
本発明は、このような従来技術の実情に鑑みてなされたもので、その目的は、長寿命で薄型化も容易な複合操作型電気部品を提供することにある。
【課題を解決するための手段】
【０００７】
上記の目的を達成するため、本発明の複合操作型電気部品では、一面に開口部を有する筐体と、前記開口部を貫通して外方へ突出する操作軸と前記筐体内に配置される鍔部とを有する回転可能かつ傾倒可能な操作体と、この操作体と係合可能な回転体を有して前記筐体内で該操作体の回転動作を検出する回転検出手段と、前記操作体の傾倒時に前記鍔部によって選択的に押圧駆動される複数のスイッチ素子を有して前記筐体内で該操作体の傾倒動作を検出する傾倒検出手段とを備え、前記操作体と前記回転体のいずれか一方に設けられた凸部を他方に設けられた凹部に挿入することにより、これら操作体と回転体が回転方向に動力伝達されるように係合されていると共に、前記凸部が前記操作体の傾倒動作を妨げないようにするための逃げスペースを前記凹部内に確保してあり、かつ、前記筐体内の前記開口部が設けられた一面側に複数の前記スイッチ素子を分散配置させ、これらスイッチ素子と前記回転体との間に前記鍔部を配置させるという構成にした。
【０００８】
このように構成された複合操作型電気部品において、操作体と回転体との間の動力伝達機構は、操作体の傾倒時に動力が伝達されず回転時のみに動力が伝達されるという簡素な凹凸係合であり、ジンバル構造等の複雑な連結構造を設ける必要がないため、電気部品全体の高さ寸法を抑えた薄型化が容易となる。また、操作体の傾倒方向に応じて分散配置された複数のスイッチ素子が選択的に押圧駆動されるため、操作体の傾倒時に特定のスイッチ素子だけが押圧駆動される可能性は低く、しかも各スイッチ素子に特殊な形状の反転ばねを使用する必要もなく、それゆえ傾倒操作の信頼性を長期に亘って維持することが容易となる。さらに、傾倒検出手段である複数のスイッチ素子を筐体内の最前部に配置することができると共に、鍔部の収納スペースと回転検出手段の収納スペースを略積層させることができ、しかも回転検出手段の径方向内側のスペースに他部材を無理なく配置させることができるため、スペースファクタを高めた小型化や多機能化が図りやすくなっている。
【０００９】
上記の構成において、複数のスイッチ素子が反転可能な反転ばねを有する個別スイッチからなると、明確なクリック感触を得ることができて好ましい。
【００１０】
また、上記の構成において、操作体の鍔部に周方向に沿って延びる円環状の突堤部を設け、この突堤部によって各個別スイッチが押圧駆動されるようにすると、操作体の回転操作位置に拘らず傾倒操作時に突堤部によって所望の個別スイッチを確実に押圧駆動できるため好ましい。この場合において、傾倒検出手段が鍔部と各個別スイッチとの間でそれぞれ片持ち梁状に延出する複数の弾性腕を有し、操作体の傾倒時に突堤部に付勢される弾性腕の先端部が対応する個別スイッチの反転ばねを押圧駆動するようにしてあると、個別スイッチの被押圧位置がばらつかなくなると共に、傾倒操作時の作動ストロークが確保しやすくなって好ましい。その際、この弾性腕が筐体の径方向内側へ向かって片持ち梁状に延出していると、傾倒操作時に弾性腕を付勢する鍔部の突堤部を該弾性腕に対し摺動させて過大な付勢力を逃がすことができるため、弾性腕に不所望な変形が生じにくくなって好ましい。
【００１１】
また、上記の構成において、筐体内に操作体の傾倒動作に伴って弾性変形する弾性部材を配設し、この弾性部材の弾性復帰力によって操作体を操作前の初期位置へ自動復帰するようにしてあると、非操作時に操作軸が常に中立姿勢に保持された状態になるため、使い勝手のよい傾倒操作が可能となる。
【００１２】
また、上記の構成において、開口部を画成している筐体の内壁面に球面状のガイド面を設けると共に、操作体の鍔部の径方向内側にガイド面と摺接する円椀状部を設け、操作体の傾倒時に円椀状部がガイド面に対して摺動するようにしてあると、筐体に対する操作体の傾倒動作が安定的に行える支持構造を簡素化することができる。
【００１３】
また、上記の構成において、操作体が、鍔部を有する駆動体と、この駆動体にスプライン結合されて軸線方向へ移動可能な操作軸とからなり、かつ、筐体内に操作軸の軸端部と対向するプッシュスイッチを配置し、操作軸の押し込み操作によって該プッシュスイッチが押圧駆動されるようにしてあると、回転検出手段である回転体の径方向内側のスペースにプッシュスイッチを無理なく配置させることができるため、傾倒操作と回転操作に加えて押し込み操作が行えるようにして多機能化を図っても小型化を維持することができる。
【００１４】
また、上記の構成において、筐体の一面（操作軸が突出する側の面）に筒状部を突設し、この筒状部に包囲された空所を操作軸を貫通させる開口部となしておけば、この筒状部を利用して操作軸の位置決め支持や傾倒時における位置規制が行いやすくなる。
【００１５】
なお、上記の構成において、回転検出手段は、筐体の内壁面に配設された導電パターンと、回転体に保持されて導電パターンに摺接する摺動子とによって構成することができる。
【発明の効果】
【００１６】
本発明の複合操作型電気部品は、操作体と回転体との間の動力伝達機構が簡素な凹凸係合であるため、電気部品全体の高さ寸法を抑えた薄型化が容易となり、また、操作体の傾倒方向に応じて分散配置された複数のスイッチ素子が選択的に押圧駆動されるため、傾倒操作の信頼性を長期に亘って維持することが容易となる。さらに、傾倒検出手段である複数のスイッチ素子を筐体内の最前部に配置することができると共に、鍔部の収納スペースと回転検出手段の収納スペースを略積層させることができ、しかも回転検出手段の径方向内側のスペースに他部材を無理なく配置させることができるため、スペースファクタを高めた小型化や多機能化が図りやすい。
【発明を実施するための最良の形態】
【００１７】
発明の実施の形態を図面を参照して説明すると、図１は本発明の実施形態例に係る複合操作型電気部品の外観図、図２は該複合操作型電気部品の平面図、図３は該複合操作型電気部品を斜め前方から見た分解斜視図、図４は該複合操作型電気部品を斜め後方から見た分解斜視図、図５は図２のＶ−Ｖ線に沿う断面図、図６は該複合操作型電気部品の傾倒操作時の断面図、図７は該複合操作型電気部品に備えられる上ケースの裏面図である。
【００１８】
これらの図に示す複合操作型電気部品は、回転操作と傾倒操作および押し込み操作という３種類の操作が行えるという多機能化された電気部品である。この複合操作型電気部品は、上ケース２と中間ケース３および下ケース４からなる筐体１と、筐体１に外装されて各ケース２，３，４を一体化している取付板５と、金属製の操作軸７および合成樹脂製の駆動体８からなる操作体６と、回転体９や摺動子板１０等を含む回転検出手段と、金属板からなる反転ばね１１やアクチュエータ１２等を含む傾倒検出手段と、可動接点板１４や円椀状ラバー１５等を含むプッシュスイッチ１３と、圧縮コイルばね１６およびクリックばね１７とによって概略構成されている。
【００１９】
筐体１は下ケース４上に中間ケース３と上ケース２を順次積層して構成されている。下ケース４と中間ケース３は位置決め穴４ａに位置決めピン３ａを挿入することによって互いに位置決めされており、中間ケース３と上ケース２は位置決め穴３ｂに位置決めピン２ａを挿入することによって互いに位置決めされている。また、中間ケース３には、位置決めピン３ａだけでなく、クリックばね１７を取り付けるための取付ピン３ｃも突設されている。この中間ケース３は比較的大径な中央孔３ｄを有し、この中央孔３ｄに駆動体８の底部が遊挿されるようになっている。
【００２０】
下ケース４の内底部の中央付近にはプッシュスイッチ１３の収納空間を画成する環状壁４ｂが突設されており、この環状壁４ｂの外周面に沿って圧縮コイルばね１６の後端部が収納される環状溝４ｃが形成されている。また、下ケース４の内底面には、環状壁４ｂに包囲された中央部にプッシュスイッチ１３用の固定接点１８ａやコモン接点１８ｂが配設されていると共に、周縁部に回転検出手段用の導電パターンである接点パターン１９が配設されている。これら接点群１８ａ，１８ｂや接点パターン１９はインサート成形技術によって下ケース４に一体化されたものであり、接点群１８ａ，１８ｂや接点パターン１９から導出された外部回路接続用の複数本の端子２０が下ケース４の外方へ突出している。また、下ケース４の底面の複数箇所に取付板５の脚片５ｂを係止させるための凹段部４ｄが形成されている。
【００２１】
上ケース２の中央部には前方へ向かって筒状部２ｂが突設されており、この筒状部２ｂによって包囲された空所が操作軸７等を貫通させる開口部２ｃとなっている。開口部２ｃの開口形状は前端側が十字形で後端側が円形であり、図５と図６に示すように、前端の十字形開口に連続する筒状部２ｂの内壁面は傾斜面２ｄとなっているが、後端の円形開口に連続する筒状部２ｂの内壁面は球面状のガイド面２ｅとなっている。図７に示すように、上ケース２の底面には４箇所に凹所２ｆが形成されており、各凹所２ｆ内に傾倒検出手段用の固定接点２１ａやコモン接点２１ｂが配設されている。これらの接点群２１ａ，２１ｂはインサート成形技術によって上ケース２に一体化されたものであり、接点群２１ａ，２１ｂから導出された外部回路接続用の複数本の端子２２が上ケース２の外方へ突出している。
【００２２】
また、上ケース２の各凹所２ｆ内には、可動接点部材およびクリック部材として動作するドーム状の反転ばね１１と、反転ばね１１を押圧駆動するための弾性腕１２ａを有するアクチュエータ１２とが組み込まれている。図５と図６に示すように、反転ばね１１はコモン接点２１ｂと常時接触しているが、固定接点２１ａとは接離可能である。また、各アクチュエータ１２の弾性腕１２ａは上ケース２の径方向内側へ向かって片持ち梁状に延出形成されており、弾性腕１２ａの先端部が反転ばね１１の中央部と接離可能に対向している。そして、操作軸７が傾倒操作されると、駆動体８の鍔部８ｄのうち傾倒方向と逆側の部位が所定の弾性腕１２ａを押し撓めるため、この弾性腕１２ａによって対応する反転ばね１１の中央部が反転させられて固定接点２１ａと接触し、スイッチオン信号が出力されるようになっている。すなわち、各凹所２ｆ内に配設された接点群２１ａ，２１ｂと反転ばね１１およびアクチュエータ１２によって４つの個別スイッチＳが構成され、等角度（本実施形態例では９０度）間隔で配置された各個別スイッチＳと駆動体８の鍔部８ｄ等によって操作体６の傾倒動作を検出する傾倒検出手段が構成されている。
【００２３】
取付板５は、上ケース２の筒状部２ｂを挿通させる中央孔５ａと、周縁部の複数箇所から後方へ突出する脚片５ｂとを有する金属板からなる。この取付板５を上ケース２の前面に載置すると共に、各脚片５ｂの先端部を折り曲げて下ケース４の凹段部４ｄに係止させることによって、積層構造の各ケース２，３，４を取付板５で把持して一体品の筐体１となすことができる。
【００２４】
操作体６は駆動体８の軸挿通孔８ａに操作軸７をスプライン結合させて構成される連結部材であり、この操作体６は筐体１に回転可能かつ傾倒可能に支持されていると共に、操作軸７が駆動体８に対して軸線方向へ移動可能となっている。つまり、駆動体８の軸挿通孔８ａには操作軸７が挿通されているが、図４に示すように、軸挿通孔８ａの後端部が小判状に拡幅されると共に、この小判状拡幅部に操作軸７の小判状端部７ａが嵌入されているため、操作軸７は軸線方向への移動を許容された状態で駆動体８に係合・保持されている。それゆえ、操作軸７と駆動体８は回転操作時や傾倒操作時には一体的に動作するが、押し込み操作時には操作軸７が駆動体８に対して軸線方向へスライド移動する。
【００２５】
駆動体８には、前方へ突出して操作軸７を保持する円筒状の保持部８ｂと、保持部８ｂの後端側で上ケース２の球面状のガイド面２ｅと摺接する円椀状部８ｃと、円椀状部８ｃの後端側から外側へ拡がる円板状の鍔部８ｄとが形成されている。鍔部８ｄの外周部には周方向に沿って延びる円環状の突堤部８ｅが前方へ突出して形成されており、鍔部８ｄを筐体１内で傾けることによって、突堤部８ｅが各個別スイッチＳに備えられるアクチュエータ１２の弾性腕１２ａを選択的に押圧駆動するようになっている。駆動体８の底部には環状係合壁８ｇが形成されており、この環状係合壁８ｇには軸挿通孔８ａを介して１８０度対向する位置に一対の凹部８ｆが形成されている。また、環状係合壁８ｇの内周面に沿って環状溝８ｈが形成されており、この環状溝８ｈに圧縮コイルばね１６の前端部やリング状のばね受け部材２３が収納されている。こうして圧縮コイルばね１６の両端部が駆動体８の環状溝８ｈと下ケース４の環状溝４ｃに収納されているため、駆動体８は圧縮コイルばね１６によって常時前方へ弾性付勢されることとなる。また、操作軸７の後端側には先端が半球状に突出した小判状端部７ａが形成されており、この小判状端部７ａが金属製の受け板２４を介してプッシュスイッチ１３の円椀状ラバー１５上に搭載されている。この受け板２４は操作軸７の曲面状（半球状）に突出した軸端と点接触状態で摺接しているため、操作軸７の傾倒動作や回転動作を円滑に行わせることができると共に、操作軸７と円椀状ラバー１５との間に受け板２４を介在させることで円椀状ラバー１５の摩耗が防止されている。なお、図示していないが、操作軸７の前端部には操作つまみ等の後付け部材が適宜冠着されるようになっている。
【００２６】
プッシュスイッチ１３は、下ケース４の内底面に配設された固定接点１８ａおよびコモン接点１８ｂと、コモン接点１８ｂに常時接触して固定接点１８ａと接離可能な金属板からなる可動接点板１４と、可動接点板１４上に配置された円椀状ラバー１５とによって構成されている。前述したように円椀状ラバー１５上には受け板２４を介して操作軸７が搭載されており、この操作軸７が軸線方向奥側へ押し込まれて円椀状ラバー１５のスカート部が座屈変形すると、円椀状ラバー１５の中央部に押圧駆動された可動接点板１４が固定接点１８ａに接触してスイッチオン信号が出力されるため、プッシュスイッチ１３によって操作軸７の押し込み操作を検出できるようになっている。
【００２７】
回転体９は前面側に多数のクリック溝９ａを有する円環状の樹脂成形品であり、この回転体９は下ケース４内に回転可能に収納されている。回転体９の内周部には一対の凸部９ｂが形成されており、これら凸部９ｂを駆動体８の各凹部８ｆ内にそれぞれ挿入することより、駆動体８と回転体９は回転方向に動力伝達されるように係合している。ただし、図５と図６に示すように、凹部８ｆ内には凸部９ｂが入り込まない余分のスペースが確保してあるため、駆動体８は凸部９ｂに干渉されることなく傾倒動作が行えるようになっている。つまり、回転体９と駆動体８との間の動力伝達機構は、凸部９ｂを凹部８ｆ内の一部に挿入することによって両者８，９を周方向（回転方向）に係合させつつ、凸部９ｂが駆動体８の傾倒動作を妨げないように凹部８ｆ内に逃げスペースＧを確保しておくという凹凸係合になっている。また、回転体９の底面には摺動子板１０の複数箇所を固定するための取付ピン９ｃが突設されており、摺動子板１０には摺動子１０ａが突設されている。摺動子板１０は下ケース４の内底面に配設された接点パターン１９と対向しており、回転体９の回転に伴って摺動子１０ａが接点パターン１９上を摺動してパルス信号が出力されるようになっている。すなわち、接点パターン１９と回転体９および摺動子板１０等によって、操作体６の回転動作を検出する回転検出手段が構成されている。また、中間ケース３の背面に取着されたクリックばね１７が回転体９の前面に弾接しているため、回転体９が回転すると、クリックばね１７の係合突起１７ａがクリック溝９ａに係脱してクリック感を生起するようになっている。
【００２８】
次に、上記の如く構成された複合操作型電気部品の動作について説明する。
【００２９】
図５は操作体６に何ら外力が作用していない非操作状態を示しており、この非操作状態において操作軸７は中立姿勢に保持されている。この状態で操作軸７が任意方向へ傾倒操作されると、図６に示すように、操作軸７と駆動体８が一体的に傾倒して圧縮コイルばね１６を傾倒方向で圧縮すると共に、鍔部８ｄのうち傾倒方向と逆側の部位がシーソー動作によって持ち上がる。そのため、傾倒方向の逆側に存する個別スイッチＳの弾性腕１２ａが鍔部８ｄの突堤部８ｅに押し込まれて撓み、対応する反転ばね１１の中央部が弾性腕１２ａの先端部によって押圧駆動される。その結果、反転ばね１１の中央部が反転して固定接点２１ａに接触するため、傾倒方向の逆側に存する凹所２ｆ内で反転ばね１１を介して固定接点２１ａとコモン接点２１ｂとが導通され、押圧駆動された個別スイッチＳに対応する所定の端子２２からスイッチオン信号が出力される。したがって、４つの個別スイッチＳに対応する端子２２群からの出力信号に基づいて、操作軸７がどの向きに傾倒操作されたのかを検出することができる。また、反転ばね１１の反転時にクリック感が生起されるため、操作軸７を操作する操作者は手指に伝わるクリック感によって傾倒操作が確実に行われたことを感得することができる。
【００３０】
また、操作軸７に対する傾倒方向への操作力が除去されると、駆動体８が圧縮コイルばね１６の弾性復帰力によって図５に示す元の姿勢に押し戻されるので、操作軸７も操作前の中立姿勢に自動復帰する。なお、本実施形態例では、上ケース２の筒状部２ｂの前端を十字形開口にして４方向にそれぞれ傾斜面２ｄが形成してあるため、操作軸７が４方向へ確実に傾倒操作できるようになっている。ただし、傾倒操作可能な方向が４方向でない構成（例えば８方向）にすることも可能である。また、前述したように駆動体８の凹部８ｆ内には回転体９の凸部９ｂとの干渉を回避するための逃げスペースＧが回転体９の軸線方向（凸部９ｂの前方側）と径方向（凸部９ｂの内周側）とに画成される隙間によって確保してあるので、操作軸７の傾倒動作が回転体９によって阻害される虞はない。
【００３１】
操作軸７が回転操作された場合には、スプライン結合されている駆動体８が一体的に回転するため、駆動体８の凹部８ｆ内で周方向に係合している凸部９ｂを介して回転体９も一体的に回転する。それゆえ、回転体９の回転に伴って摺動子１０ａが接点パターン１９上を摺動してパルス信号が出力されることとなり、このパルス信号に基づいて操作体６の回転量や回転方向を検出することができる。また、回転体９が回転するとクリックばね１７の係合突起１７ａがクリック溝９ａに係脱してクリック感を生起するため、操作者は手指に伝わるクリック感によって回転量を概略把握することができる。なお、本実施形態例では、回転体９の回転に伴って摺動子１０ａが接点パターン１９上を摺動するように構成されているが、接点パターン１９が抵抗パターンからなる導電パターンであってもよい。
【００３２】
また、操作軸７が押し込み操作された場合には、駆動体８は移動しないが操作軸７が軸線方向へスライド移動してプッシュスイッチ１３の円椀状ラバー１５を押し込むため、この円椀状ラバー１５が座屈変形して可動接点板１４を押圧駆動する。その結果、可動接点板１４が固定接点１８ａに接触するため、可動接点板１４を介して固定接点１８ａとコモン接点１８ｂとが導通されてスイッチオン信号が出力されることとなり、この出力信号に基づいて操作軸７の押し込み操作を検出することができる。そして、かかる押し込み操作力が除去されると、座屈していた円椀状ラバー１５が自身の弾性によって元の形状に戻るため、操作軸７は円椀状ラバー１５に押し上げられて操作前の初期位置へ自動復帰する。
【００３３】
このように本実施形態例に係る複合操作型電気部品にあっては、駆動体８と回転体９との間の動力伝達機構が、凹部８ｆ内の一部に凸部９ｂを挿入することによって傾倒操作時に動力が伝達されず回転操作時のみに動力が伝達されるという簡素な凹凸係合であり、ジンバル構造等の複雑な連結構造を設ける必要がないため、電気部品全体の高さ寸法を抑えた薄型化が容易となると共に、長寿命化を図ることができるものとなっている。また、この複合操作型電気部品は、操作軸７の傾倒方向に応じて上ケース２の各凹所２ｆ内に分散配置された複数の個別スイッチＳ（接点群２１ａ，２１ｂや反転ばね１１等）が選択的に押圧駆動されるように構成されているため、操作軸７の傾倒時に特定の個別スイッチＳだけが押圧駆動される可能性は低く、傾倒操作の信頼性を長期に亘って維持することができ、しかも傾倒時に各個別スイッチＳの反転ばね１１から明確なクリック感触が得られる。
【００３４】
また、この複合操作型電気部品では、傾倒検出手段である複数の個別スイッチＳが筐体１内の最前部（上ケース２の各凹所２ｆ内）に分散配置されていると共に、駆動体８の鍔部８ｄの収納スペースと回転検出手段（回転体９や摺動子板１０等）の収納スペースとを筐体１内で略積層させ、この回転検出手段の径方向内側にプッシュスイッチ１３を無理なく配置できるようにしているため、スペースファクタを高めた小型化や多機能化が容易となっている。
【００３５】
また、この複合操作型電気部品では、駆動体８の鍔部８ｄに周方向に沿って延びる円環状の突堤部８ｅが設けてあり、この突堤部８ｅによって各個別スイッチＳを押圧駆動するようにしてあるため、操作体６の回転操作位置に拘らず傾倒操作時に突堤部８ｅによって所望の個別スイッチＳを確実に押圧駆動することができる。しかも本実施形態例の場合、片持ち梁状に延出する弾性腕１２ａを介して突堤部８ｅが個別スイッチＳを押圧駆動するという構成にしてあるため、個別スイッチＳの被押圧部材である反転ばね１１の中央部を弾性腕１２ａの先端部で確実に押圧することができて、個別スイッチＳの被押圧位置がばらつかなくなると共に、傾倒操作時の作動ストロークを確保しやすくなっている。なお、弾性腕１２ａの形状は本実施形態例に限定されるものではないが、本実施形態例のように弾性腕１２ａが筐体１の径方向内側へ向かって片持ち梁状に延出していると、傾倒操作時に弾性腕１２ａを付勢する鍔部８ｄの突堤部８ｅを弾性腕１２ａに対し摺動させて、過大な付勢力を逃がすことができるため、弾性腕１２ａに不所望な変形が生じにくくなって好ましい。
【００３６】
また、この複合操作型電気部品では、筐体１の上ケース２に操作軸７や駆動体８の保持部８ｂ等を挿通させる筒状部２ｂを突設し、この筒状部２ｂの内壁面に形成した球面状のガイド面２ｅに駆動体８の円椀状部８ｃが摺接するようにしてあるため、簡素な球面支持構造によって筐体１に対する操作体６の傾倒動作が安定的に行えると共に、この筒状部２ｂを利用して操作軸７の位置決め支持や傾倒時における位置規制も行える。
【００３７】
なお、上記実施形態例では、傾倒操作と回転操作だけでなく押し込み操作も行えるようにした複合操作型電気部品について説明したが、本発明は押し込み操作が不要な複合操作型電気部品にも適用可能であり、その場合は操作軸７と駆動体８とを一体化した操作体６を用いればよい。
【００３８】
また、上記実施形態例では、駆動体８に設けた凹部８ｆ内の一部に回転体９に設けた凸部９ｂを挿入することによって、傾倒操作時に駆動体８から回転体９へ動力が伝達されないが、回転操作時に動力が伝達されて両者８，９が一体的に回転するようにしているが、両者８，９の凹凸係合関係は逆にしてもよい。すなわち、図８に示すように駆動体８の底部に凸部８ｉを形成すると共に、図９に示すように回転体９の内周部に凹部９ｄを形成し、凸部８ｉを凹部９ｄ内の一部に挿入することによっても、駆動体８と回転体９との間の動力伝達機構を上記実施形態例と同様に設定することができる。
【図面の簡単な説明】
【００３９】
【図１】本発明の実施形態例に係る複合操作型電気部品の外観図である。
【図２】該複合操作型電気部品の平面図である。
【図３】該複合操作型電気部品を斜め前方から見た分解斜視図である。
【図４】該複合操作型電気部品を斜め後方から見た分解斜視図である。
【図５】図２のＶ−Ｖ線に沿う断面図である。
【図６】該複合操作型電気部品の傾倒操作時の断面図である。
【図７】該複合操作型電気部品に備えられる上ケースの裏面図である。
【図８】駆動体の変形例を示す斜視図である。
【図９】回転体の変形例を示す斜視図である。
【符号の説明】
【００４０】
１  筐体
２  上ケース
２ｂ  筒状部
２ｃ  開口部
２ｅ  ガイド面
３  中間ケース
４  下ケース
５  取付板
６  操作体
７  操作軸
８  駆動体
８ｃ  円椀状部
８ｄ  鍔部
８ｅ  突堤部
８ｆ  凹部
８ｉ  凸部
９  回転体
９ｂ  凸部
９ｄ  凹部
１０  摺動子板
１０ａ  摺動子
１１  反転ばね
１２  アクチュエータ
１２ａ  弾性腕
１３  プッシュスイッチ
１４  可動接点板
１５  円椀状ラバー
１６  圧縮コイルばね（弾性部材）
１７  クリックばね
１８ａ，１８ｂ  接点群
１９  接点パターン（導電パターン）
２１ａ，２１ｂ  接点群
Ｓ  個別スイッチ
Ｇ  逃げスペース
【図１】
2007317392.tif 000003
【図２】
2007317392.tif 000004
【図３】
2007317392.tif 000005
【図４】
2007317392.tif 000006
【図５】
2007317392.tif 000007
【図６】
2007317392.tif 000008
【図７】
2007317392.tif 000009
【図８】
2007317392.tif 000010
【図９】
2007317392.tif 000011